(57)【要約】    【課題】複数のプロジェクタからの投写画像の位置調整を暗室などの極暗所において高精度に行うことを可能とする。    【解決手段】２つのプロジェクタから投写された２つの調整用画像が適切な位置関係で投写されたときに重畳領域において所定の特徴が出現するような画素値に設定された第１の色及び第２の色を、２つの調整用画像が適切な位置関係で投写されたときに第１のパターン及び第２のパターンの第１の色と第２の色とがそれぞれ重畳するように第１のパターン及び第２のパターンのそれぞれのパターン内で交互に割り当てた調整用画像データを生成して２つのプロジェクタに与える調整用画像データ出力装置１２と、２つの調整用画像を投写させたときの投写面を撮像して得られる撮像画像データに基づいて評価値を算出する評価値算出装置１３と、評価値に基づいて２つの投写画像の位置調整を行う位置調整制御装置１４とを有する。    【選択図】  図１
2007043275.tif 000002
【特許請求の範囲】
【請求項１】
複数のプロジェクタを有するマルチプロジェクションディスプレイにおける２つのプロジェクタから重畳領域を有するように投写面に投写される２つの投写画像の位置を第１のパターンを有する調整用画像と第２のパターンを有する調整用画像の２つの調整用画像を用いて調整する投写画像の位置調整方法であって、
前記２つの調整用画像が適切な位置関係で投写されたときに前記重畳領域において所定の特徴が出現するような画素値に設定された第１の色及び第２の色を、前記２つの調整用画像が適切な位置関係で投写されたときに前記第１のパターンの前記第１の色が前記第２のパターンの前記第２の色と重畳し、前記第１のパターンの前記第２の色が前記第２のパターンの前記第１の色と重畳するように、前記第１のパターン及び第２のパターンのそれぞれのパターン内に割り当てた調整用画像データを前記２つの調整用画像に対応する２つの調整用画像データとして生成して前記２つのプロジェクタに与える第１ステップと、
前記２つのプロジェクタから前記２つの調整用画像データに対応する２つの調整用画像を投写させたときの前記投写面を撮像装置によって撮像して得られる撮像画像データに基づいて前記特徴に関連付けられた評価値を算出する第２ステップと、
前記評価値に基づいて前記２つの投写画像の位置調整を行う第３ステップと、
を含むことを特徴とする投写画像の位置調整方法。
【請求項２】
請求項１記載の投写画像の位置調整方法において、
前記撮像装置は、Ｂａｙｅｒ配列の色配列構造を採用したカラーフィルタを有する単板式の撮像装置であることを特徴とする投写画像の位置調整方法。
【請求項３】
請求項１または２記載の投写画像の位置調整方法において、
前記第１の色及び第２の色は、前記第１のパターン及び前記第２のパターンのそれぞれのパターン内において前記第１の色及び第２の色が所定周期でそれぞれ交互に割り当てられることを特徴とする投写画像の位置調整方法。
【請求項４】
請求項１〜３のいずれかに記載の投写画像の位置調整方法において、
前記第２ステップは、前記２つの調整用画像のうち少なくとも一方の調整用画像を１画素単位で水平方向または垂直方向に移動させて、前記調整用画像を１画素単位で移動させる毎に前記評価値を算出することを特徴とする投写画像の位置調整方法。
【請求項５】
請求項１〜４のいずれかに記載の投写画像の位置調整方法において、
前記パターンは、１画素に対応する幅の線画を有することを特徴とする投写画像の位置調整方法。
【請求項６】
請求項１〜５のいずれかに記載の投写画像の位置調整方法において、
前記特徴は、前記撮像画像データにおける画素値であることを特徴とする投写画像の位置調整方法。
【請求項７】
請求項６に記載の投写画像の位置調整方法において、
前記評価値は、前記画素値がしきい値以上である画素数であり、第３ステップは、前記画素値がしきい値以上である画素数が最大となる位置を前記２つの投写画像の最適投写位置として前記２つの投写画像の位置調整を行うことを特徴とする投写画像の位置調整方法。
【請求項８】
請求項７に記載の投写画像の位置調整方法において、
前記しきい値は、前記２つの調整用画像における各パターンが重畳することによってはじめて出現する色に対応する値に設定することを特徴とする投写画像の位置調整方法。
【請求項９】
請求項８に記載の投写画像の位置調整方法において、
前記第１の色は、相対的に強い赤色成分と相対的に弱い緑色成分を有する色であって、前記第２の色は、相対的に強い青色成分と相対的に弱い緑色成分を有する色であり、前記２つの調整用画像における各パターンが重畳することによってはじめて出現する色は白色であることを特徴とする投写画像の位置調整方法。
【請求項１０】
請求項１〜９のいずれかに記載の投写画像の位置調整方法において、
前記第２ステップにおいては、前記２つの調整用画像が同じ位置関係となる状態で複数回の撮影を行って前記評価値を算出することを特徴とする投写画像の位置調整方法。
【請求項１１】
請求項１〜１０のいずれかに記載の投写画像の位置調整方法において、
前記第２ステップ及び第３ステップは、２つのプロジェクタのうちいずれかのプロジェクタの電気光学変調装置における画像形成領域の有効画像表示領域の位置を画素単位で移動させることにより前記２つの投写画像の位置調整を行うことを特徴とする投写画像の位置調整方法。
【請求項１２】
複数のプロジェクタを有するマルチプロジェクションディスプレイにおける２つのプロジェクタから重畳領域を有するように投写面に投写される２つの投写画像の位置を第１のパターンを有する調整用画像と第２のパターンを有する調整用画像の２つの調整用画像を用いて調整する投写画像の位置調整装置であって、
前記２つの調整用画像が適切な位置関係で投写されたときに前記重畳領域において所定の特徴が出現するような画素値に設定された第１の色及び第２の色を、前記２つの調整用画像が適切な位置関係で投写されたときに前記第１のパターンの前記第１の色が前記第２のパターンの前記第２の色と重畳し、前記第１のパターンの前記第２の色が前記第２のパターンの前記第１の色と重畳するように、前記第１のパターン及び第２のパターンのそれぞれのパターン内に割り当てた調整用画像データを前記２つの調整用画像に対応する２つの調整用画像データとして生成して前記２つのプロジェクタに与える調整用画像データ出力装置と、
前記２つのプロジェクタから前記２つの調整用画像データに対応する２つの調整用画像を投写させたときの前記投写面を撮像装置によって撮像して得られる撮像画像データに基づいて前記特徴に関連付けられた評価値を算出する評価値算出装置と、
前記評価値に基づいて前記２つの投写画像の位置調整を行う位置調整制御装置と、
を有することを特徴とする投写画像の位置調整装置。
【請求項１３】
複数のプロジェクタを有するマルチプロジェクションディスプレイにおける２つのプロジェクタから重畳領域を有するように投写面に投写される２つの投写画像の位置を第１のパターンを有する調整用画像と第２のパターンを有する調整用画像の２つの調整用画像を用いて調整する投写画像の位置調整プログラムであって、
前記２つの調整用画像が適切な位置関係で投写されたときに前記重畳領域において所定の特徴が出現するような画素値に設定された第１の色及び第２の色を、前記２つの調整用画像が適切な位置関係で投写されたときに前記第１のパターンの前記第１の色が前記第２のパターンの前記第２の色と重畳し、前記第１のパターンの前記第２の色が前記第２のパターンの前記第１の色と重畳するように、前記第１のパターン及び第２のパターンのそれぞれのパターン内に割り当てた調整用画像データを前記２つの調整用画像に対応する２つの調整用画像データとして生成して前記２つのプロジェクタに与える第１ステップと、
前記２つのプロジェクタから前記２つの調整用画像データに対応する２つの調整用画像を投写させたときの前記投写面を撮像装置によって撮像して得られる撮像画像データに基づいて前記特徴に関連付けられた評価値を算出する第２ステップと、
前記評価値に基づいて前記２つの投写画像の位置調整を行う第３ステップと、
を実行可能であることを特徴とする投写画像の位置調整プログラム。
【請求項１４】
複数のプロジェクタを有し、前記複数のプロジェクタからの投写画像が重畳領域を有するように投写面に投写可能なマルチプロジェクションディスプレイであって、
前記複数のプロジェクタにおける２つのプロジェクタから投写された第１のパターンを有する調整用画像及び第２のパターンを有する調整用画像が適切な位置関係で投写されたときに前記重畳領域において所定の特徴が出現するような画素値に設定された第１の色及び第２の色を、前記２つの調整用画像が適切な位置関係で投写されたときに前記第１のパターンの前記第１の色が前記第２のパターンの前記第２の色と重畳し、前記第１のパターンの前記第２の色が前記第２のパターンの前記第１の色と重畳するように、前記第１のパターン及び第２のパターンのそれぞれのパターン内に割り当てた調整用画像データを前記２つの調整用画像に対応する２つの調整用画像データとして生成して前記２つのプロジェクタに与える調整用画像データ出力装置と、
前記２つのプロジェクタから前記２つの調整用画像データに対応する２つの調整用画像を投写させたときの前記投写面を撮像装置によって撮像して得られる撮像画像データに基づいて前記特徴に関連付けられた評価値を算出する評価値算出装置と、
前記評価値に基づいて前記２つの投写画像の位置調整を行う位置調整制御装置と、
をさらに有することを特徴とするマルチプロジェクションディスプレイ。
【請求項１５】
請求項１４に記載のマルチプロジェクションディスプレイにおいて、
前記複数のプロジェクタからの複数の投写画像が重畳領域を有するように投写面にタイリング投写可能に構成されていることを特徴とするマルチプロジェクションディスプレイ。
【請求項１６】
請求項１４に記載のマルチプロジェクションディスプレイにおいて、
前記複数のプロジェクタからの複数の投写画像が重畳領域を有するように投写面にスタッキング投写可能に構成されていることを特徴とするマルチプロジェクションディスプレイ。_Hlk108020537
【発明の詳細な説明】
【技術分野】
【０００１】
本発明は、複数のプロジェクタからの投写画像を投写面に投写して一画面を構成するマルチプロジェクションディスプレイに用いられる投写画像の位置調整方法、投写画像の位置調整装置、投写画像の位置調整プログラム及びマルチプロジェクションディスプレイに関する。
【背景技術】
【０００２】
複数のプロジェクタからの投写画像を投写面にタイリング投写またはスタッキング投写するマルチプロジェクションディスプレイが知られている。このようなマルチプロジェクションディスプレイにおいては、各投写画像の投写面上での位置調整の精度が投写画像の品質に大きな影響を与える。
【０００３】
たとえば、タイリング投写を例にとった場合、位置調整の精度が低いと、各投写画像間に不連続な継ぎ目が生じたり、重畳領域がぼやけて見えてしまうなど、投写画像の品質が大幅に劣化してしまうという問題がある。
【０００４】
これに対処するためにはマルチプロジェクションディスプレイにおいて、各投写画像間の位置調整が必須となるが、この位置調整をユーザが手作業で行うと、多くの手間と時間を要し、また、位置調整作業に熟練した技術が必要となるといった問題がある。
このため、位置調整を自動化する方法が従来から種々提案されている（たとえば、特許文献１、特許文献２参照）。
【０００５】
特許文献１に開示された技術は、投写面上に投写された複数のテストパターン画像（山形波形の輝度分布を有している）をカメラで撮像して、その撮像画像データから複数のテストパターンの代表位置（山形波形の中心位置）をそれぞれ求める。そして、求められたそれぞれの代表位置に基づき、各テストパターン画像の間隔及び各テストパターン画像を結ぶ線分と隣接画面との交点位置の水平方向と垂直方向の双方または一方における間隔を求め、それらの間隔を用いて、どのような位置ずれがあるかを測定するというものである。
【０００６】
また、特許文献２に開示された技術は、隣接する投写画像の境界部分に沿って黒表示部を有しその内側に白表示部を有する２つの調整用パターンを２つのプロジェクタによって表示して重畳部分に暗線を表示させる。そして、黒表示部の幅を漸減させ、それを撮像装置で撮像して、その撮像画像データから暗線の幅変化を観測し、暗線の消失位置を境界位置として記憶させる。そして、この境界位置に個々の投写装置から投写される投写画像の輪郭を合わせるように位置調整を行う。
【０００７】
【特許文献１】特開２００１−３５６００５号公報
【特許文献２】特開２００２−３６５７１８号公報
【発明の開示】
【発明が解決しようとする課題】
【０００８】
特許文献１及び特許文献２に開示された技術はいずれも調整用画像を２つのプロジェクタによって投写面に投写し、それを撮像装置で撮像して、それによって得られた撮像画像データに基づいて位置調整を行うものである。
【０００９】
特許文献１に開示された技術は、投写画像の解像度よりも低い解像度を有する撮像装置を用いて位置ずれの検出が可能であると考えられる。しかしながら、位置ずれを求めるために複雑な画像解析処理が必要となる。このため、高い処理能力を有する画像データ処理装置が必要であるという問題があるとともに、演算量が多いために高速な位置ずれの調整を行えないという問題がある。
一方、特許文献２に開示された技術は、投写画像の画素単位の解像度を有する高解像度の撮像装置を用いないと高精度に境界位置を求めることができないという問題がある。
【００１０】
また、これら特許文献１及び特許文献２に開示された技術によって位置調整を行う場合、位置調整を行う室内などの照明条件が撮像装置に与える影響を考慮する必要がある。これは、照明条件が異なった環境下で撮像して得られた撮像画像データに基づいた位置調整を行うと、適切な位置調整が行えない場合が多いからである。たとえば、暗室などの照明がない極暗所においては、通常の明るさを有する照明条件下では無視できるレベルであった何らかの阻害要因の影響が増大し、適正な位置調整を行うことができない場合がある。なお、阻害要因としては、たとえば、単板式の撮像装置において用いられるカラーフィルタの色配列構造などが考えられるが、これについては後述する。
【００１１】
したがって、暗室などの極暗所において位置調整を行う場合は、前記阻害要因の影響を考慮した位置調整を行う必要があるが、特許文献１及び特許文献２に開示された技術は、その点については特に考慮されているものではない。
【００１２】
本発明は、投写面上に投写される複数のプロジェクタからの投写画像の位置調整を、暗室などの極暗所において高精度に行うことができる投写画像の位置調整方法、投写画像の位置調整装置、投写画像の位置調整プログラム及びマルチプロジェクションディスプレイを提供することを目的とする。
【課題を解決するための手段】
【００１３】
（１）本発明の投写画像の位置調整方法は、複数のプロジェクタを有するマルチプロジェクションディスプレイにおける２つのプロジェクタから重畳領域を有するように投写面に投写される２つの投写画像の位置を第１のパターンを有する調整用画像と第２のパターンを有する調整用画像の２つの調整用画像を用いて調整する投写画像の位置調整方法であって、前記２つの調整用画像が適切な位置関係で投写されたときに前記重畳領域において所定の特徴が出現するような画素値に設定された第１の色及び第２の色を、前記２つの調整用画像が適切な位置関係で投写されたときに前記第１のパターンの前記第１の色が前記第２のパターンの前記第２の色と重畳し、前記第１のパターンの前記第２の色が前記第２のパターンの前記第１の色と重畳するように、前記第１のパターン及び第２のパターンのそれぞれのパターン内に割り当てた調整用画像データを前記２つの調整用画像に対応する２つの調整用画像データとして生成して前記２つのプロジェクタに与える第１ステップと、前記２つのプロジェクタから前記２つの調整用画像データに対応する２つの調整用画像を投写させたときの前記投写面を撮像装置によって撮像して得られる撮像画像データに基づいて前記特徴に関連付けられた評価値を算出する第２ステップと、前記評価値に基づいて前記２つの投写画像の位置調整を行う第３ステップとを含むことを特徴とする。
【００１４】
このように、２つの調整用画像が適切な位置関係で投写されたときに前記第１のパターンの前記第１の色が前記第２のパターンの前記第２の色と重畳し、前記第１のパターンの前記第２の色が前記第２のパターンの前記第１の色と重畳するように、前記第１の色及び第２の色を前記第１のパターン及び第２のパターンのそれぞれのパターン内に割り当てた色配列構造としている。これにより、前記阻害要因の影響を考慮した位置調整が可能となり、暗室などの極暗所での位置調整を高精度に行うことが可能となる。
【００１５】
（２）前記（１）に記載の投写画像の位置調整方法においては、前記撮像装置は、Ｂａｙｅｒ配列の色配列構造を採用したカラーフィルタを有する単板式の撮像装置としている。
【００１６】
撮像装置が単板式である場合に用いられるカラーフィルタは、Ｂａｙｅｒ配列の色配列構造を有しているのが一般的である。Ｂａｙｅｒ配列の色配列構造では、緑色を通過させる緑フィルタは、各列・各行に市松模様を形成するように配列されている。これに対して、赤色を通過させる赤フィルタと青色を通過させる青フィルタは、行方向及び列方向において交互にすなわち１行・１列おきのみに配置されている。
【００１７】
このような色配列構造となっているカラーフィルタを用いた撮像装置は、赤及び青の色成分の再現性が悪く、極暗所において撮像された撮像画像データに基づく位置調整を行った場合に、本来の最適投写位置に対して所定画素分ずれた位置を最適投写位置として判定してしまうという不具合を生じる場合がある。これに対処するために、２つの調整用画像の第１のパターン及び第２のパターンを前記（１）に記載したような色配列とする。これにより、本来の最適投写位置に対して所定画素分ずれた位置を最適投写位置として判定してしまうという不具合を解消することができる。
【００１８】
（３）前記（１）または（２）に記載の投写画像の位置調整方法においては、前記第１の色及び第２の色は、前記第１のパターン及び前記第２のパターンのそれぞれのパターン内において前記第１の色及び第２の色が所定周期でそれぞれ交互に割り当てられることが好ましい。
このように、第１のパターン及び前記第２のパターンのそれぞれのパターン内において前記第１の色及び第２の色を所定周期でそれぞれ交互に割り当てることにより、（１）または（２）に記載した効果がより一層顕著なものとなる。
【００１９】
（４）前記（１）〜（３）のいずれかに記載の投写画像の位置調整方法においては、前記第２ステップは、前記２つの調整用画像のうち少なくとも一方の調整用画像を１画素単位で水平方向または垂直方向に移動させて、前記調整用画像を１画素単位で移動させる毎に前記評価値を算出することが好ましい。
これによって、調整用画像の１画素単位の移動ごとの評価値を算出することができ、１画素単位の精度での位置調整が可能となる。
【００２０】
（５）前記（１）〜（４）のいずれかに記載の投写画像の位置調整方法においては、前記パターンは、１画素に対応する幅の線画を有することが好ましい。
このように、２つの調整用画像のパターンを１画素の幅を有する線画とすることにより、パターンの重畳により出現する特徴を調整用画像の１画素単位の移動ごとに観測することができる。これによって、１画素単位での評価値を適切に算出することができ、１画素単位の精度での位置調整が可能となる。なお、２つの調整用画像のパターンを１画素の幅を有する線画とすることにより、前記第１の色及び第２の色は、それぞれの線画内において両方の色が存在し、好ましくは、第１の色と第２の色とが所定周期で交互に存在する。
【００２１】
（６）前記（１）〜（５）のいずれかに記載の投写画像の位置調整方法においては、前記特徴は、前記撮像画像データにおける画素値であることが好ましい。
このように、特徴を画素値で表すことにより、特徴を客観的な値として表すことができる。
【００２２】
（７）前記（６）に記載の投写画像の位置調整方法においては、前記評価値は、前記画素値がしきい値以上である画素数であり、第３ステップは、前記画素値がしきい値以上である画素数が最大となる位置を前記２つの投写画像の最適投写位置として前記２つの投写画像の位置調整を行うことが好ましい。
【００２３】
このように、評価値をしきい値以上の画素数で表し、画素数をカウントするだけで、最適投写位置の判定を容易にかつ適切に行うことができる。すなわち、２つの調整用画像の重なりの度合いが大きいほど、しきい値以上となる画素数が多くなるので、最適投写位置の判定を容易にかつ適切に行うことができる。
【００２４】
（８）前記（７）に記載の投写画像の位置調整方法においては、前記しきい値は、前記２つの調整用画像における各パターンが重畳することによってはじめて出現する色に対応する値に設定することが好ましい。
これにより、２つの調整用画像における各パターンが重畳することによって、それぞれの調整用画像とは異なった色が出現するので、色の変化の度合いにより、位置の調整具合を見た目にも知ることができる。
【００２５】
（９）前記（８）に記載の投写画像の位置調整方法においては、前記第１の色は、相対的に強い赤色成分と相対的に弱い緑色成分を有する色であって、前記第２の色は、相対的に強い青色成分と相対的に弱い緑色成分を有する色であり、前記２つの調整用画像における各パターンが重畳することによってはじめて出現する色は白色であることが好ましい。
【００２６】
これは、たとえば、第１の色の画素値（階調値）をＲ＝２５５，Ｇ＝１２８，Ｂ＝０とし、第２の色の画素値（階調値）をＲ＝０，Ｇ＝１２８，Ｂ＝２５５とすることで、両者が重畳することによって、各色成分の画素値（階調値）がＲ＝２５５，Ｇ＝２５５，Ｂ＝２５５の白の出現をさせることができることを意味している。なお、プロジェクタや撮像装置のガンマ特性や照明条件などの影響によって、撮像画像データの輝度特性が変化する場合があるため、照明条件などによってＧ（緑）の画素値は変動し得る。
【００２７】
（１０）前記（１）〜（９）のいずれかに記載の投写画像の位置調整方法においては、前記第２ステップにおいては、前記２つの調整用画像が同じ位置関係となる状態で複数回の撮影を行って前記評価値を算出することが好ましい。
【００２８】
このように、複数回の撮像により得られる撮像画像データを用いて評価値を算出することにより、撮像装置のノイズの影響を低減した高精度な評価値を得ることができる。たとえば、複数回の撮像により得られる撮像画像データを用いて算出された評価値の平均値を求めて、その平均値を求めるべき評価値とすることが考えられる。
【００２９】
（１１）前記（１）〜（１０）のいずれかに記載の投写画像の位置調整方法においては、前記第２ステップ及び第３ステップは、２つのプロジェクタのうちいずれかのプロジェクタの電気光学変調装置における画像形成領域の有効画像表示領域の位置を画素単位で移動させることにより前記２つの投写画像の位置調整を行うことが好ましい。
このように、プロジェクタが元々有している機能を利用することによって投写画像を画素単位で移動させることができる。
【００３０】
（１２）本発明の投写画像の位置調整装置は、複数のプロジェクタを有するマルチプロジェクションディスプレイにおける２つのプロジェクタから重畳領域を有するように投写面に投写される２つの投写画像の位置を第１のパターンを有する調整用画像と第２のパターンを有する調整用画像の２つの調整用画像を用いて調整する投写画像の位置調整装置であって、前記２つの調整用画像が適切な位置関係で投写されたときに前記重畳領域において所定の特徴が出現するような画素値に設定された第１の色及び第２の色を、前記２つの調整用画像が適切な位置関係で投写されたときに前記第１のパターンの前記第１の色が前記第２のパターンの前記第２の色と重畳し、前記第１のパターンの前記第２の色が前記第２のパターンの前記第１の色と重畳するように、前記第１のパターン及び第２のパターンのそれぞれのパターン内に割り当てた調整用画像データを前記２つの調整用画像に対応する２つの調整用画像データとして生成して前記２つのプロジェクタに与える調整用画像データ出力装置と、前記２つのプロジェクタから前記２つの調整用画像データに対応する２つの調整用画像を投写させたときの前記投写面を撮像装置によって撮像して得られる撮像画像データに基づいて前記特徴に関連付けられた評価値を算出する評価値算出装置と、前記評価値に基づいて前記２つの投写画像の位置調整を行う位置調整制御装置とを有することを特徴とする。
【００３１】
この投写画像の位置調整装置においても（１）に記載の投写画像の位置調整方法と同様の効果が得られる。なお、この投写画像の位置調整装置においても前記（２）〜（１１）の投写画像の位置調整方法と同様の特徴を有することが好ましい。
【００３２】
（１３）本発明の投写画像の位置調整プログラムは、複数のプロジェクタを有するマルチプロジェクションディスプレイにおける２つのプロジェクタから重畳領域を有するように投写面に投写される２つの投写画像の位置を第１のパターンを有する調整用画像と第２のパターンを有する調整用画像の２つの調整用画像を用いて調整する投写画像の位置調整プログラムであって、前記２つの調整用画像が適切な位置関係で投写されたときに前記重畳領域において所定の特徴が出現するような画素値に設定された第１の色及び第２の色を、前記２つの調整用画像が適切な位置関係で投写されたときに前記第１のパターンの前記第１の色が前記第２のパターンの前記第２の色と重畳し、前記第１のパターンの前記第２の色が前記第２のパターンの前記第１の色と重畳するように、前記第１のパターン及び第２のパターンのそれぞれのパターン内に割り当てた調整用画像データを前記２つの調整用画像に対応する２つの調整用画像データとして生成して前記２つのプロジェクタに与える第１ステップと、前記２つのプロジェクタから前記２つの調整用画像データに対応する２つの調整用画像を投写させたときの前記投写面を撮像装置によって撮像して得られる撮像画像データに基づいて前記特徴に関連付けられた評価値を算出する第２ステップと、前記評価値に基づいて前記２つの投写画像の位置調整を行う第３ステップとを実行可能であることを特徴とする。
【００３３】
この投写画像の位置調整プログラムにおいても（１）に記載の投写画像の位置調整方法と同様の効果が得られる。なお、この投写画像の位置調整プログラムにおいても前記（２）〜（１１）の投写画像の位置調整方法と同様の特徴を有することが好ましい。
【００３４】
（１４）本発明のマルチプロジェクションディスプレイは、複数のプロジェクタを有し、前記複数のプロジェクタからの投写画像が重畳領域を有するように投写面に投写可能なマルチプロジェクションディスプレイであって、前記複数のプロジェクタにおける２つのプロジェクタから投写された第１のパターンを有する調整用画像及び第２のパターンを有する調整用画像が適切な位置関係で投写されたときに前記重畳領域において所定の特徴が出現するような画素値に設定された第１の色及び第２の色を、前記２つの調整用画像が適切な位置関係で投写されたときに前記第１のパターンの前記第１の色が前記第２のパターンの前記第２の色と重畳し、前記第１のパターンの前記第２の色が前記第２のパターンの前記第１の色と重畳するように、前記第１のパターン及び第２のパターンのそれぞれのパターン内に割り当てた調整用画像データを前記２つの調整用画像に対応する２つの調整用画像データとして生成して前記２つのプロジェクタに与える調整用画像データ出力装置と、前記２つのプロジェクタから前記２つの調整用画像データに対応する２つの調整用画像を投写させたときの前記投写面を撮像装置によって撮像して得られる撮像画像データに基づいて前記特徴に関連付けられた評価値を算出する評価値算出装置と、前記評価値に基づいて前記２つの投写画像の位置調整を行う位置調整制御装置とをさらに有することを特徴とする。
【００３５】
複数のプロジェクタを有するマルチプロジェクションディスプレイがこのような位置調整を行うための構成を有することにより、前記阻害要因の影響を考慮した位置調整が可能となり、暗室などの極暗所での位置調整を高精度に行うことが可能となる。なお、このマルチプロジェクションディスプレイにおいても前記（２）〜（１１）の投写画像の位置調整方法と同様の特徴を有することが好ましい。
【００３６】
（１５）前記（１４）に記載のマルチプロジェクションディスプレイにおいては、前記複数のプロジェクタからの複数の投写画像が重畳領域を有するように投写面にタイリング投写可能に構成されていることが好ましい。
【００３７】
このように、複数のプロジェクタから投写される投写画像のうち隣接する投写画像同士に重複領域を有してタイリング投写するようなマルチプロジェクションディスプレイにおいても、前記阻害要因の影響を考慮した位置調整が可能となり、暗室などの極暗所での位置調整を高精度に行うことが可能となる。
【００３８】
（１６）前記（１４）に記載のマルチプロジェクションディスプレイにおいては、前記複数のプロジェクタからの複数の投写画像が重畳領域を有するように投写面にスタッキング投写可能に構成されていることが好ましい。
【００３９】
このように、複数のプロジェクタから投写される投写画像を同じ投写領域内に重ねて投写するいわゆるスタッキング投写するようなマルチプロジェクションディスプレイにおいても、前記阻害要因の影響を考慮した位置調整が可能となり、暗室などの極暗所での位置調整を高精度に行うことが可能となる。
【発明を実施するための最良の形態】
【００４０】
以下、本発明の実施の形態について説明する。本発明は、暗室などの照明の殆ど無い極暗所において、投写画像の適正な位置調整を可能とするものであるが、本発明の投写画像の位置調整を説明する前に、所定の明るさを有する照明条件下において投写画像の位置調整を行う場合について説明する。なお、以下に示す実施形態においては、この所定の明るさを有する照明条件下における投写画像の位置調整を「第１の投写画像位置調整」とし、暗室などの極暗所における投写画像の位置調整を「第２の投写画像位置調整」として説明を行うことにする。
【００４１】
〔第１の投写画像位置調整〕
図１は「第１の投写画像位置調整」が適用されるマルチプロジェクションディスプレイの構成を示す図である。図１に示すマルチプロジェクションディスプレイは、水平方向に並べられた左右２台のプロジェクタＰＪ１，ＰＪ２を有し、それぞれのプロジェクタＰＪ１，ＰＪ２は、それぞれの投写画像の一部に重畳領域を有するように投写面としてのスクリーンＳＣＲ上でタイリング投写可能に設置されているものとする。なお、図１はスクリーンＳＣＲ及びプロジェクタＰＪ１，ＰＪ２を上方から見た図である。
【００４２】
図１に示すマルチプロジェクションディスプレイは、２台のプロジェクタＰＪ１，ＰＪ２と、２台のプロジェクタＰＪ１，ＰＪ２からの投写画像の位置調整を行う機能を有する投写画像の位置調整装置１とを有している。
【００４３】
なお、プロジェクタＰＪ１，ＰＪ２は、外部からの操作により、スクリーンＳＣＲ上における投写画像の表示位置を内部的に１画素単位で水平・垂直方向に移動可能であるとする。また、外部からの操作によって画像の表示位置を移動させることができない場合には、たとえば、画像データ出力装置（パーソナルコンピュータなど）において、表示すべき画像自体を１画素単位で水平・垂直方向に移動させたものを各プロジェクタＰＪ１，ＰＪ２に与えることで対応できるものとする。
【００４４】
投写画像の位置調整装置１は、一部に重畳領域を有した状態でスクリーンＳＣＲ上にタイリング投写された調整用画像ＣＧ１，ＣＧ２を撮像可能な撮像装置１１と、２つの調整用画像ＣＧ１，ＣＧ２に対応する調整用画像データＣＧＤ１，ＣＧＤ２をプロジェクタＰＪ１，ＰＪ２に出力可能な調整用画像データ出力装置１２と、撮像装置１１からの撮像画像データに基づいて、調整用画像に対する評価値を算出する評価値算出装置１３と、該評価値算出装置１３による評価結果に基づいて、プロジェクタＰＪ１，ＰＪ２からの投写画像の最適な投写位置を取得して、取得した位置に基づいて投写画像の位置調整を行う位置調整制御装置１４とを有している。
【００４５】
なお、「第１の投写画像位置調整」においては、２つの調整用画像ＣＧ１，ＣＧ２のうち一方の調整用画像（プロジェクタＰＪ１が投写する調整用画像ＣＧ１とする）を固定し、他方の調整用画像（プロジェクタＰＪ２が投写する調整用画像ＣＧ２とする）をスクリーンＳＣＲで垂直方向（上下方向）に移動させることにより、最適な投写位置を検出するものとする。
【００４６】
図２は投写画像の位置調整装置１の構成を詳細に示す図である。調整用画像データ出力装置１２は、プロジェクタＰＪ１，ＰＪ２に対するそれぞれの調整用画像データＣＧＤ１，ＣＧＤ２を生成する調整用画像データ生成部１２１と、生成された調整用画像データＣＧＤ１，ＣＧＤ２を、対応するプロジェクタＰＪ１，ＰＪ２に出力する調整用画像データ出力部１２２とを有している。
【００４７】
撮像装置１１は、スクリーンＳＣＲ上に投写されたプロジェクタＰＪ１，ＰＪ２からの調整用画像データＣＧＤ１，ＣＧＤ２に対応する調整用画像ＣＧ１，ＣＧ２を撮像して、その撮像画像データを出力する。なお、この撮像装置１１は、スクリーンＳＣＲ上に投写される投写画像の解像度よりも低い解像度のものを用いることができる。
【００４８】
評価値算出装置１３は、撮像装置１１がスクリーンＳＣＲ上の調整用画像ＣＧ１，ＣＧ２を撮像することによって得られた撮像画像データを入力する撮像画像データ入力部１３１、入力した撮像画像データを記憶する撮像画像データ記憶部１３２、調整用画像ＣＧ１，ＣＧ２の位置関係に基づく評価値(詳細については後述する)を算出する評価値算出部１３３、調整用画像ＣＧ２の移動による位置と算出された評価値とを対応させて記憶する位置・評価値記憶部１３４とを有している。
【００４９】
位置調整制御装置１４は、プロジェクタＰＪ１，ＰＪ２の投写画像位置を１画素単位で移動制御可能な投写画像位置制御部１４１と、評価値算出装置１３における位置・評価値記憶部１３４に記憶された位置とその位置に対する評価値とを入力し、評価値のうちの最大の評価値とその位置（最大評価位置という）を取得し、取得した最大の評価値に対する最大評価位置を最大評価位置記憶部１４２に記憶させる位置・評価値取得部１４３と、位置・評価値取得部１４３で取得された最大の評価値とそのときの最大評価位置とに基づいて、前記投写画像位置制御部１４１に移動制御情報を与える制御部１４４とを有している。
【００５０】
図３はプロジェクタＰＪ１，ＰＪ２からスクリーンＳＣＲ上にそれぞれ別々に投写された調整用画像ＣＧ１，ＣＧ２の一例を模式的に示す図である。図３に示す調整用画像ＣＧ１，ＣＧ２は、プロジェクタＰＪ１，ＰＪ２からの各投写画像のスクリーンＳＣＲ上での垂直方向の位置調整を行うための調整用画像である。
【００５１】
なお、前述したように、調整用画像ＣＧ１，ＣＧ２は、２つのプロジェクタＰＪ１，ＰＪ２のそれぞれに対応した調整用画像として生成して、生成された２つの調整用画像を、対応するプロジェクタＰＪ１，ＰＪ２に与えることもできるが、調整用画像として１つの調整用画像を生成し、その１つの調整用画像を分割してそれぞれ対応するプロジェクタＰＪ１，ＰＪ２に与えるようにすることもできる。これは、後に説明する「第２の投写画像位置調整」において用いられる調整用画像についても同様である。
【００５２】
調整用画像ＣＧ１，ＣＧ２は、調整用画像ＣＧ１，ＣＧ２が適切な位置関係でスクリーンＳＣＲ上に投写されたときに、その重畳領域において所定の特徴が出現するようなパターンを有している。
【００５３】
すなわち、２つの調整用画像ＣＧ１，ＣＧ２は、一方の調整用画像ＣＧ１が第１の色による第１のパターンを有し、他方の調整用画像ＣＧ２が第２の色による第２のパターンを有している。そして、第１の色及び第２の色は、第１のパターンと第２のパターンとが重畳したときに、特徴としての白色が出現するように、前記２つの調整用画像それぞれにおける赤色成分、緑色成分、青色成分の画素値が設定されている。
【００５４】
たとえば、調整用画像ＣＧ１における第１の色としては、相対的に強い赤色成分と相対的に弱い緑色成分を有する色とし、調整用画像ＣＧ２における第２の色としては、相対的に強い青色成分と相対的に弱い緑色成分を有する色とする。具体的には、調整用画像ＣＧ１における第１の色については、Ｒ（赤）・Ｇ（緑）・Ｂ(青)の色成分の画素値（階調値）を、Ｒ＝２５５、Ｇ＝１６０、Ｂ＝０と設定し、調整用画像ＣＧ２における第２の色については、Ｒ（赤）・Ｇ（緑）・Ｂ(青)の色成分の画素値（階調値）は、Ｒ＝０、Ｇ＝１６０、Ｂ＝２５５と設定しておく。なお、背景の色は黒色が好ましい。また、本発明の実施形態で用いられる画素値は輝度値を表しているものとする。
【００５５】
なお、調整用画像ＣＧ１，ＣＧ２の重畳領域における画素値を白色（Ｒ＝２５５、Ｇ＝２５５、Ｂ＝２５５）とするには、理想的には、調整用画像ＣＧ１，ＣＧ２のＧ（緑）成分は１２８とすべきであるが、実際には、プロジェクタＰＪ１，ＰＪ２や撮像装置のガンマ特性や照明条件などの影響によって、撮像画像データの輝度特性が変化する場合がある。このため、実施形態では、Ｇ（緑）＝１６０と設定してある。このように、Ｇ（緑）の値は、その時の条件になどに適宜最適な値に設定することが可能である。
【００５６】
また、上述の例では、ＲとＢの画素値をそれぞれ２５５または０に固定して、Ｇを最適な値に可変設定するようにしたが、ＧとＢの画素値をそれぞれ２５５または０に固定して、Ｒを最適な値に可変設定するようにしてもよく、また、ＲとＧの画素値をそれぞれ２５５または０に固定して、Ｂを最適な値に可変設定するようにしてもよい。ただし、撮像装置はＧ（緑）に対して感度が高いのが一般的であるので、Ｇ（緑）を最適な値に可変設定することが好ましい。
【００５７】
また、調整用画像ＣＧ１，ＣＧ２のそれぞれのパターン（第１のパターン及び第２のパターン）は、水平方向の複数本の直線からなる線画によるパターンとなっている。そして、それぞれの線の幅（太さ）は、図３の破線枠の拡大図に示すように、プロジェクタＰＪ１，ＰＪ２における電気光学変調装置（液晶変調装置という）の１画素に対応し、また、各線の間隔は、プロジェクタＰＪ１，ＰＪ２における液晶変調装置の２０画素分に対応しているものとする。
【００５８】
次に、「第１の投写画像位置調整」について説明する。ここで、プロジェクタＰＪ１，ＰＪ２におけるそれぞれの液晶変調装置の解像度は水平１２８０画素×垂直７２０画素とし、撮像装置の解像度は水平１２８０画素×垂直１０２４画素とする。
【００５９】
まず、ユーザによって２つの調整用画像ＣＧ１，ＣＧ２を、手動操作で可能な範囲の位置調整を行っておく。なお、ユーザの手動作操作による位置調整により設定された位置を初期位置と呼ぶことにする。
【００６０】
そして、この初期位置からの最終的な微調整は、「第１の投写画像位置調整」を適用することにより行って最適投写位置を決める。以下に、「第１の投写画像位置調整」の位置調整手順について説明する。
【００６１】
まず、調整用画像データ出力装置１２によって、スクリーンＳＣＲにおける左側の投写画像を投写するプロジェクタＰＪ１に対して調整用画像データＣＧＤ１を出力するとともに、右側の投写画像を投写するプロジェクタＰＪ２に対して調整用画像データＣＧＤ２を出力する。これらの調整用画像データＣＧＤ１，ＣＧＤ２のうち、調整用画像データＣＧＤ１は、Ｒ＝２５５、Ｇ＝１６０、Ｂ＝０の画素値を有し、調整用画像データＣＧＤ２は、Ｒ＝０、Ｇ＝１６０、Ｂ＝２５５の画素値を有している。
【００６２】
図４は図３に示した調整用画像ＣＧ１，ＣＧ２を一部に重畳領域を有してスクリーンＳＣＲ上に投写させた状態を模式的に示す図である。図４に示すように、スクリーンＳＣＲ上には、プロジェクタＰＪ１によるＲ＝２５５、Ｇ＝１６０、Ｂ＝０の画素値を有する調整用画像ＣＧ１と、プロジェクタＰＪ２によるＲ＝０、Ｇ＝１６０、Ｂ＝２５５の画素値を有する調整用画像ＣＧ２とが一部に重畳領域を有して投写される。なお、図４における調整用画像ＣＧ１と調整用画像ＣＧ２は、位置調整がなされる前の状態であるとする。
【００６３】
調整用画像ＣＧ１，ＣＧ２をスクリーンＳＣＲ上に投写したあと、調整用画像ＣＧ１，ＣＧ２のいずれか一方を垂直方向に１画素単位で位置を移動させて行く。前述したように、この実施形態では、調整用画像ＣＧ１を固定して、調整用画像ＣＧ２の位置を１画素単位で移動させるものとする。なお、調整用画像の１画素単位での移動は、プロジェクタの液晶変調装置における画像形成領域の有効画像表示領域の位置を画素単位で移動可能な機能を用いることによって容易に行うことができる。
【００６４】
前記手動操作による位置調整により設定された初期位置から、プロジェクタＰＪ２の投写する調整用画像ＣＧ２を垂直方向（上方向とする）に１０画素移動させた位置（これを処理開始位置とする）とする。
【００６５】
次に、該処理開始位置から調整用画像ＣＧ２を下方向に１画素単位で２０画素だけ順次移動させる操作を行う。
【００６６】
なお、上述したように、手動操作により設定された初期位置から、プロジェクタＰＪ２の投写する調整用画像ＣＧ２を垂直方向に１０画素移動させた位置を処理開始位置とし、該処理開始位置から２０画素の移動を行うのは、手動操作により設定された初期位置は、手動操作であってもある程度の正確さを有しており、その初期位置を基準にして上下方向に１０画素程度の範囲内に最適投写位置が存在する確率が高いからである。このような操作を行うことにより、より効率的に最適投写位置を見つけることができる。
【００６７】
図５は調整用画像ＣＧ２の各位置における、撮像装置１１からの撮像画像データ中の調整用画像ＣＧ１,ＣＧ２の重畳領域を拡大表示して示す図である。図５に示す各画像は、処理開始位置から調整用画像ＣＧ２を下方向に１画素単位で２０画素だけ順次移動させる操作を行った場合の各位置における調整用画像ＣＧ１，ＣＧ２の状態を示している。図５において、各画像の左下に付された「１」〜「２０」の数値は、調整用画像ＣＧ２を処理開始位置から２０画素分移動させたときの各位置を示す番号であり、位置「１」は処理開始位置である。
【００６８】
一方、撮像装置１１では、調整用画像ＣＧ２の１画素単位の移動に伴って、スクリーンＳＣＲ上の調整用画像ＣＧ１，ＣＧ２を撮像し、その撮像画像データを出力する。この撮像画像データは、撮像画像データ入力部１３１に入力され、撮像画像データ記憶部１３２に記憶される。そして、評価値算出部１３３は、撮像画像データ記憶部１３２に記憶された撮像画像データを用いて、調整用画像ＣＧ２の１画素単位の位置ごとに評価値の算出を行う。この評価値の算出は次のようにして行われる。
【００６９】
図５に示すように、調整用画像ＣＧ２を１画素単位で移動させ、調整用画像ＣＧ１，ＣＧ２が所定の位置関係となると、調整用画像ＣＧ１，ＣＧ２の重畳領域に元の調整用画像ＣＧ１，ＣＧ２には存在しない特徴が出現する。ここで、調整用画像ＣＧ１，ＣＧ２の重畳領域に出現する特徴とは、調整用画像ＣＧ１，ＣＧ２の各線が重畳することによる撮像画像データにおける画素値の変化であり、この場合、両者が適切に重畳すれば、該重畳領域には白色が出現することとなる。
【００７０】
なお、図５はモノクロ図面であるため、図５から白の出現を読み取ることは困難であるが、実際には図５の元となるカラー画像上では白の出現を読み取ることは容易である。この場合、調整用画像ＣＧ１及び調整用画像ＣＧ２の重畳領域において、所定のしきい値（しきい値については後述する）に達した画素値を有する白をピンク色で示すことにより、ディスプレイにおけるカラー画像上での白の出現を読み取ることがさらに容易となる。
【００７１】
図５からは容易に読み取ることはできないが、位置「６」から白となる領域が出現し始め、位置「８」で白となる領域が最大となり、その後、「９」、「１０」、・・・と位置が進むにつれて、白となる領域が急激に減って行く様子が後に説明する図６から読み取ることができる。
【００７２】
図５においては位置「８」で調整用画像ＣＧ１，ＣＧ２が適切な位置関係にあると判定できる。この調整用画像ＣＧ１，ＣＧ２が適切な位置関係にあるとの判定は、撮像画像データから白となった画素数によって行うことができる。
【００７３】
このとき、白となったか否かは、各画素の画素値が所定値以上となったか否かで判定することができる。すなわち、画素値がＲ，Ｇ，Ｂ＝（２５５，２５５，２５５）である場合を白とするのが理想的であるが、「第１の投写画像位置調整」（後に説明する「第２の投写画像位置調整」も同様）では、しきい値としての画素値を、たとえば、Ｒ，Ｇ，Ｂ＝（２４０，２４０，２４０）と設定し、画素値がＲ，Ｇ，Ｂ＝（２４０，２４０，２４０）以上を白として判定するものとする。
【００７４】
ここで、しきい値をＲ，Ｇ，Ｂ＝（２５５，２５５，２５５）ではなく、Ｒ，Ｇ，Ｂ＝（２４０，２４０，２４０）としたのは、ガンマ特性などの機器特性や照明条件による変動を考慮していて一定のマージンを設けたためである。
【００７５】
図６は処理開始位置「１」から２０画素分移動した位置「２０」までの各位置において白と判定された画素数を示す図である。図６に示すように、位置「８」において白と判定された画素数が最も多くなっている。なお、図６に示す各位置に対する画素数は、図２における評価値算出部１３３によって算出され、算出された画素数は、各位置に対応付けられて図２における評価値算出装置１３の位置・評価値記憶部１３４に記憶される。
【００７６】
そして、図２における位置調整制御装置１４の位置・評価値取得部１４３は、評価値算出装置１３の位置・評価値記憶部１３４に記憶された内容から、最大の画素数を有する位置を最大評価位置として取得して、取得した最大評価位置を最大評価位置記憶部１４２に記憶させる。この場合、位置「８」が最大の画素数を有する最大評価位置であるので、位置「８」を最大評価位置として最大評価位置記憶部１４２に記憶させる。
【００７７】
すなわち、図６は調整用画像ＣＧ２を位置「８」としたときに、調整用画像ＣＧ１の各線と調整用画像ＣＧ１の各線とが垂直方向において最適な位置関係で重畳していることを示すものであり、その位置関係においてプロジェクタＰＪ１，ＰＪ２で投写を行えば、それぞれの投写画像が垂直方向における最適投写位置で投写されることを示している。
【００７８】
したがって、その最大評価位置をプロジェクタＰＪ２の投写画像の投写位置とするように、位置調整を行う。これによって、プロジェクタＰＪ１，ＰＪ２のそれぞれの投写画像は、垂直方向において適切に位置調整がなされた最適投写位置となり、重畳領域で不連続な継ぎ目が生じたりぼやけたりすることのない高品質な画像を表示することができる。
【００７９】
また、図１に示した撮像装置１１の解像度は、水平１２８０画素×垂直１０２４画素としており、１００万画素前後の比較的低解像度のものであっても、それよりも高解像度の投写画像（ここでは、１台分のプロジェクタの解像度を水平１２８０×垂直７２０としている）を１画素単位で位置調整することができる。
【００８０】
以上は水平方向に並べられた２つのプロジェクタＰＪ１，ＰＪ２からの投写画像の垂直方向の位置調整を行う例であったが、次に、これら水平方向に並べられた２つのプロジェクタＰＪ１，ＰＪ２からの投写画像の水平方向の位置調整を行う例について説明する。
【００８１】
図７は水平方向の位置調整を行うための調整用画像ＣＧ３，ＣＧ４をプロジェクタＰＪ１，ＰＪ２によりそれぞれ別々にスクリーンＳＣＲに投写させた状態を模式的に示す図である。調整用画像ＣＧ３，ＣＧ４も前述の調整用画像ＣＧ１，ＣＧ２と同様、各調整用画像ＣＧ３，ＣＧ４が適切な位置関係でスクリーンＳＣＲ上に投写されたときに、その重畳領域において所定の特徴が出現するようなパターンを有している。この実施形態では、調整用画像ＣＧ３，ＣＧ４は垂直方向の線画からなるパターンを有するものとする。なお、線画の太さ（幅）や線画間の間隔などは調整用画像ＣＧ１，ＣＧ２と同様であるとする（図７の破線枠参照）。
【００８２】
図８は調整用画像ＣＧ３，ＣＧ４を一部に重畳領域を有してスクリーンＳＣＲ上に投写させた状態を模式的に示す図である。図８に示すように、スクリーンＳＣＲ上には、プロジェクタＰＪ１によるＲ＝２５５、Ｇ＝１６０、Ｂ＝０の画素値を有する調整用画像ＣＧ３と、プロジェクタＰＪ２によるＲ＝０、Ｇ＝１６０、Ｂ＝２５５の画素値を有する調整用画像ＣＧ４とが一部に重畳領域を有して投写される。なお、図８における調整用画像ＣＧ３と調整用画像ＣＧ４は、位置調整がなされる前の状態であるとする。
【００８３】
なお、水平方向の位置調整においても、２つの調整用画像ＣＧ３，ＣＧ４のうち一方の調整用画像（プロジェクタＰＪ１が投写する調整用画像ＣＧ３とする）を固定し、他方の調整用画像（プロジェクタＰＪ２が投写する調整用画像ＣＧ４とする）をスクリーンＳＣＲで水平方向（左右方向）に移動させることにより、最適投写位置を検出するものとする。
【００８４】
この水平方向の位置調整は、ユーザによって、プロジェクタＰＪ１，ＰＪ２の投写する調整用画像ＣＧ３，ＣＧ４を手動操作で可能な範囲で位置調整を行った状態から、プロジェクタＰＪ２の投写する調整用画像ＣＧ４を水平方向（左方向とする）に１０画素だけ移動させた位置を処理開始位置とし、該処理開始位置から調整用画像ＣＧ４を右方向に１画素単位で２０画素だけ順次移動させる操作を行う。
【００８５】
そして、撮像装置１１ではスクリーンＳＣＲ上の調整用画像ＣＧ３，ＣＧ４を撮像し、その撮像画像データを出力する。この撮像画像データは、図２に示す撮像画像データ入力部１３１に入力され、撮像画像データ記憶部１３２に記憶される。そして、評価値算出部１３３は、撮像画像データ記憶部１３２に記憶された撮像画像データを用いて、調整用画像ＣＧ４の１画素単位の位置ごとに評価値の算出を行う。この評価値の算出については前記垂直方向の位置調整と同様に行なうことができる。
【００８６】
図９は処理開始位置「１」から２０画素分移動した位置「２０」までの各位置において白と判定された画素数を示す図である。なお、この図９の例では、位置「１０」において白と判定された画素数が最も多くなったとする。すなわち、この図９の例では、ユーザによって、プロジェクタＰＪ１，ＰＪ２の投写する調整用画像ＣＧ３，ＣＧ４を手動操作で可能な範囲で位置調整を行った状態が結果的に最適な投写位置と判定された場合である。
【００８７】
以上説明したように、水平方向に並べられた２つのプロジェクタＰＪ１，ＰＪ２の投写画像について、調整用画像ＣＧ１，ＣＧ２を用いることにより垂直方向の位置調整を高精度に行うことができ、また、調整用画像ＣＧ３，ＣＧ４を用いることにより水平方向の位置調整を高精度に行うことができる。
【００８８】
以上、「第１の投写画像位置調整」において、水平方向に並べられた２つのプロジェクタＰＪ１，ＰＪ２からの投写画像の垂直方向及び水平方向の位置調整を行う場合について説明したが、調整用画像ＣＧ１，ＣＧ２を用いることで、垂直方向に並べられた２つのプロジェクタＰＪ１，ＰＪ２からの投写画像の垂直方向の位置調整も可能であり、また、調整用画像ＣＧ３，ＣＧ４を用いることで、垂直方向に並べられた２つのプロジェクタＰＪ１，ＰＪ２からの投写画像の水平方向の位置調整も可能である。
【００８９】
この垂直方向に並べられた２つのプロジェクタＰＪ１，ＰＪ２からの投写画像の垂直方向及び水平方向の位置調整については、この「第１の投写画像位置調整」においてはその説明を省略する。
【００９０】
〔第２の投写画像位置調整〕
これまで説明した「第１の投写画像位置調整」は、所定の明るさを有する照明条件下において好結果が得られる。しかしながら、極暗所においては、適正な位置調整が行えない場合もある。ここでは、水平方向に並べられた２つのプロジェクタＰＪ１，ＰＪ２からの投写画像の水平方向の位置調整を例にとって説明する。
【００９１】
図１０は極暗所において処理開始位置「１」から２０画素分移動した位置「２０」までの各位置において白と判定された画素数を示す図である。すなわち、図１０は「第１の投写画像位置調整」における水平方向の位置調整で説明したと同じ位置調整操作を極暗所で行った場合である。この図１０は図９に対応するものである。
【００９２】
図１０を図９と比較すると、所定の明るさのある照明条件下においては図９に示すように、最適投写位置が位置「１０」と判定されたが、極暗所においては最適投写位置が位置「９」と判定され、所定の明るさのある照明条件下における最適投写位置（これを本来の最適投写位置とする）に対して１画素分ずれた位置を最適投写位置として判定することとなる。
【００９３】
これは、図１１に示すように、調整用画像ＣＧ３，ＣＧ４が適正な位置となった状態に対して１画素だけずれた状態となったときに、撮像画像データ中の白となった画素数が最大となってしまうためである。すなわち、実験によれば、調整用画像ＣＧ３のパターン（第１のパターン）を構成する各線画の第１の色（Ｒ＝２５５，Ｇ＝１６０，Ｂ＝０）と調整用画像ＣＧ４のパターン（第２のパターン）を構成する各線画の第２の色（Ｒ＝０，Ｇ＝１６０，Ｂ＝２５５）とが隣接した状態となったときに、撮像画像データ中の白となった画素数が最大となってしまうことがわかった。
【００９４】
なお、調整用画像ＣＧ１，ＣＧ２を用いた垂直方向の位置調整を行う場合も同様の傾向が現れる。すなわち、前述の例では、位置「８」が最適投写位置として判定されたが、同じ時操作を極暗所で行うと、１画素分ずれた位置「７」が最適投写位置であると判定されてしまう場合がある。
【００９５】
これらの現象は、撮像装置１１に用いられるカラーフィルタの色配列構造に関係するものであることが実験によりわかった。すなわち、「第１の投写画像位置調整」においては説明しなかったが、撮像装置１１が単板式である場合、撮像装置内部ではカラーフィルタが用いられるのが一般的であり、このカラーフィルタはＢａｙｅｒ配列の色配列構造を有しているのが一般的である。このＢａｙｅｒ配列の色配列構造が極暗所において本来の最適投写位置に対して１画素分ずれた位置が最適投写位置として判定されてしまう要因を作っていると考えられる。
【００９６】
図１２はＢａｙｅｒ配列の色配列構造を有するカラーフィルタを模式的に示す図である。図１２において、Ｒは赤色を透過する赤フィルタ、Ｇは緑色を透過する緑フィルタ、Ｂは青色を透過する青フィルタを意味し、これら各色成分のフィルタがマトリクス状に配列されている。なお、図１２では赤フィルタを灰色、緑フィルタを白色、青フィルタを黒色で示している。
【００９７】
図１２からもわかるように、Ｂａｙｅｒ配列では、緑フィルタは、各列・各行に市松模様を形成するように配置されている。しかし、赤フィルタと青フィルタは、行方向及び列方向において交互にすなわち１行・１列おきに配置されている。すなわち、赤フィルタと青フィルタは、ある行・ある列には存在していても、それと隣接する行・列には存在しない色配列構造となっている。
【００９８】
このような色配列構造となっているがために、Ｂａｙｅｒ配列の色配列構造を有するカラーフィルタを用いた撮像装置は、赤・青の色成分の再現性が悪く、極暗所ではこの影響が前述した阻害要因として現れ、これによって、極暗所において撮像された撮像画像データに基づく位置調整を行った場合に、本来の最適投写位置に対して１画素分ずれた位置を最適投写位置として判定してしまうものと考えられる。
【００９９】
このように、所定の明るさを有する環境下において設定された最適投写位置が極暗所においては１画素分ずれた位置を最適投写位置としてしまうこととなり、これに対処した位置調整を可能とするため手法を「第２の投写画像位置調整」として説明する。
【０１００】
「第２の投写画像位置調整」は、極暗所において適切な位置調整を可能とするものである。なお、「第２の投写画像位置調整」において用いるマルチプロジェクションディスプレイの構成は、図１及び図２を用いることができる。
【０１０１】
図１３は「第２の投写画像位置調整」において用いられる調整用画像を模式的に示す図である。ここでは、水平方向に並べられた２つのプロジェクタＰＪ１，ＰＪ２から投写される各投写画像の水平方向の位置調整を行う際に用いられる調整用画像ＣＧ１３，ＣＧ１４について説明する。
【０１０２】
図１３に示す調整用画像ＣＧ１３，ＣＧ１４は、「第１の投写画像位置調整」における水平方向の位置調整で用いた調整用画像ＣＧ３，ＣＧ４と同様、それぞれのパターン（第１のパターン及び第２のパターン）が垂直方向の複数本の直線からなる線画によるパターンを有し、しかも、それぞれの線の幅（太さ）がプロジェクタＰＪ１，ＰＪ２における液晶変調装置の１画素に対応し、また、各線の間隔は、プロジェクタＰＪ１，ＰＪ２における液晶変調装置の２０画素分に対応している。
【０１０３】
ここで、調整用画像ＣＧ１３，ＣＧ１４が調整用画像ＣＧ３，ＣＧ４と異なるのは、２つの調整用画像ＣＧ３，ＣＧ４が適切な位置関係で投写されたときに、調整用画像ＣＧ１３のパターン（第１のパターン）の第１の色が調整用画像ＣＧ１４のパターン（第２のパターン）の第２の色と重畳し、調整用画像ＣＧ１３のパターン（第１のパターン）の第２の色が調整用画像ＣＧ１４のパターン（第２のパターン）の第１の色と重畳するように、第１の色及び第２の色が第１のパターン及び第２のパターンのそれぞれの線に所定の周期で交互に割り当てられている点である。
【０１０４】
ここで、第１の色は、Ｒ（赤）・Ｇ（緑）・Ｂ(青)の色成分の画素値が、Ｒ＝２５５、Ｇ＝１６０、Ｂ＝０と設定された色であり、第２の色は、Ｒ（赤）・Ｇ（緑）・Ｂ(青)の色成分の画素値が、Ｒ＝０、Ｇ＝１６０、Ｂ＝２５５と設定された色である。なお、この場合も、プロジェクタＰＪ１，ＰＪ２や撮像装置１１のガンマ特性などの影響によって、撮像画像データの輝度特性が変化する場合があることを考慮して、Ｇ（緑）＝１６０と設定してある。このように、Ｇ（緑）の値は、その時の条件によって適宜最適な値に設定することが可能である。なお、背景の色は黒色が好ましい。
【０１０５】
図１３に示すように、調整用画像ＣＧ１３は第１の色（これにＣｒ１の符号を付す）と第２の色（これにＣｒ２の符号を付す）がＣｒ１，Ｃｒ２，Ｃｒ１，Ｃｒ２，・・・の順で交互に割り当てられている。一方、調整用画像ＣＧ１４は第１の色Ｃｒ１と第２の色Ｃｒ２とがＣｒ２，Ｃｒ１，Ｃｒ２，Ｃｒ１，・・・の順で交互に割り当てられている。
【０１０６】
このような調整用画像ＣＧ１３，ＣＧ１４は、図２に示す調整用画像データ生成部１２１によって生成することができ、生成された調整用画像ＣＧ１３，ＣＧ１４は、調整用画像データ出力部１２２によってプロジェクタＰＪ１，ＰＪ２に与えられる。
【０１０７】
図１４はプロジェクタＰＪ１，ＰＪ２からスクリーンＳＣＲ上にそれぞれ別々に投写された調整用画像ＣＧ１３，ＣＧ１４の一例を示す図である。
【０１０８】
図１５は図１４に示す調整用画像ＣＧ１３，ＣＧ１４を一部に重畳領域を有してスクリーンＳＣＲ上に投写させた状態を示す図である。図１５に示すように、スクリーンＳＣＲ上には、プロジェクタＰＪ１による調整用画像ＣＧ１３と、プロジェクタＰＪ２による調整用画像ＣＧ１４とが一部に重畳領域を有して投写される。なお、図１５における調整用画像ＣＧ１３と調整用画像ＣＧ１４は、水平方向の位置調整がなされる前の状態であるとする。
【０１０９】
なお、図１４及び図１５はモノクロ図面であるため、図１４及び図１５から調整用画像ＣＧ１３，ＣＧ１４における各パターンの色配列構造を読み取ることは困難であるが、実際には図１４及び図１５の元となるカラー画像上では色配列構造を読み取ることは容易である。
【０１１０】
図１６及び図１７は、図１４及び図１５において示したスクリーンＳＣＲ上の投写画像である調整用画像ＣＧ１３，ＣＧ１４を模式的に示す図である。なお、図１６及び図１７においては、調整用画像ＣＧ１３，ＣＧ１４の各パターンの各線画内における第１の色Ｃｒ１及び第２の色Ｃｒ２のそれぞれの長さは、この例では７２画素分の長さとしている。すなわち、７２画素周期で第１の色Ｃｒ１と第２の色Ｃｒ２とが交互に存在することになる。以下、図１６及び図１７により説明する。
【０１１１】
調整用画像ＣＧ１３，ＣＧ１４を図１７に示すようにスクリーンＳＣＲ上に投写したあと、調整用画像ＣＧ１３，ＣＧ１４のいずれか一方を水平方向に１画素単位で位置を移動させて行く。この場合、調整用画像ＣＧ１３を固定して、調整用画像ＣＧ１４の位置を１画素単位で移動させるものとする。
【０１１２】
また、この「第２の投写画像位置調整」においても前述の「第１の投写画像位置調整」と同様に、手動操作による位置調整により設定された初期位置から、プロジェクタＰＪ２の投写する調整用画像ＣＧ１４を水平方向（左方向）に１０画素移動させた位置（これを処理開始位置とする）とする。
【０１１３】
次に、該処理開始位置から調整用画像ＣＧ１４を右方向に１画素単位で２０画素だけ順次移動させる操作を行う。この調整用画像ＣＧ１４の１画素単位での移動は、プロジェクタＰＪ２の液晶変調装置における画像形成領域の有効画像表示領域の位置を画素単位で移動可能な機能を用いることによって容易に行うことができる。
【０１１４】
図１８は調整用画像ＣＧ１４の各位置における、撮像装置１１からの撮像画像データ中の調整用画像ＣＧ１３,ＣＧ１４の重畳領域を拡大表示して示す図である。図１８に示す各画像は、処理開始位置から調整用画像ＣＧ１４を右方向に１画素単位で２０画素だけ順次移動させる操作を行った場合の各位置における調整用画像ＣＧ１３，ＣＧ１４の状態を示している。図１８において、各画像の左下に付された「１」〜「２０」の数値は、調整用画像ＣＧ１４を処理開始位置から２０画素分移動させたときの各位置を示す番号であり、位置「１」は処理開始位置である。
【０１１５】
一方、撮像装置１１では、調整用画像ＣＧ１４の１画素単位の移動に伴って、スクリーンＳＣＲ上の調整用画像ＣＧ１３，ＣＧ１４を撮像し、その撮像画像データを出力する。この撮像画像データは、撮像画像データ入力部１３１に入力され、撮像画像データ記憶部１３２に記憶される。そして、評価値算出部１３３は、撮像画像データ記憶部１３２に記憶された撮像画像データを用いて、調整用画像ＣＧ１４の１画素単位の位置ごとに評価値の算出を行う。この評価値の算出については「第１の投写画像位置調整」と同様に行うことができるのでその説明は省略する。
【０１１６】
図１８に示すように、調整用画像ＣＧ１４を１画素単位で移動させ、調整用画像ＣＧ１３，ＣＧ１４が適正な位置関係となると、重畳領域に白色が出現することとなる。図１８においては、白の破線の楕円枠で囲った部分に白が出現している。
【０１１７】
なお、図１８はモノクロ図面であるため、図１８から白の出現を読み取ることは困難であるが、実際には図１８の元となるカラー画像上では白の出現を読み取ることは比較的容易である。この場合、調整用画像ＣＧ１３及び調整用画像ＣＧ１４の重複領域において、所定のしきい値に達した画素値を有する白をピンク色で示すことにより、カラー画像上での白の出現を読み取ることがさらに容易となる。
【０１１８】
図１８からは容易に読み取ることができないが、位置「１０」で白となる領域が最大となり、その後、白となる領域が急激に減って行く様子が以下に説明する図１９から読み取ることができる。
【０１１９】
図１９は極暗所において処理開始位置「１」から２０画素分移動した位置「２０」までの各位置において白と判定された画素数を示す図である。図１９に示すように、位置「１０」において白と判定された画素数が最も多くなっている。このように、位置「１０」において白と判定された画素数が最も多くなっている点は、「第１の投写画像位置調整」の図９と同様の結果が得られたということである。
【０１２０】
すなわち、図１９は調整用画像ＣＧ１４を位置「１０」としたときに、調整用画像ＣＧ１３の第１のパターンと調整用画像ＣＧ１４の第２のパターンとが水平方向において最適な位置関係で重畳していることを示すものであり、これは、「第１の投写画像位置調整」によって設定された本来の最適投写位置での投写が可能となることを示している。したがって、その位置関係においてプロジェクタＰＪ１，ＰＪ２で投写を行えば、それぞれの投写画像が最適な位置関係（水平方向の位置関係）で投写されることを示している。
【０１２１】
この「第２の投写画像位置調整」は、極暗所での位置調整を行う場合であり、前述したように、極暗所において、「第１の投写画像位置調整」で用いた調整用画像ＣＧ３，ＣＧ４によって位置調整を行うと、本来の最適投写位置（図９参照）に対して１画素分ずれた位置（図１０参照）を最適投写位置としてしまう不具合が生じる場合がある。これに対して、図１３に示すような調整用画像ＣＧ１３，ＣＧ１４を用いて、プロジェクタＰＪ１，ＰＪ２によって図１７のように投写を行い、図１８に示すような位置調整操作を行うことによって、前述したような不具合を解消することができる。
【０１２２】
図２０は「第２の投写画像位置調整」の位置調整手順を概略的に示すフローチャートである。図２０における個々のステップの処理についてはすでに説明したので、ここでは全体的な処理の流れについて簡単に説明する。
【０１２３】
まず、プロジェクタＰＪ１，ＰＪ２によって調整用画像ＣＧ１３，ＣＧ１４をスクリーンＳＣＲ上に投写する（ステップＳ１）。そして、ユーザによって、プロジェクタＰＪ１，ＰＪ２の投写する調整用画像ＣＧ１３，ＣＧ１４を、手動操作で可能な範囲の位置調整を行ったのち、調整用画像ＣＧ１３，ＣＧ１４のうちの一方の調整用画像（調整用画像ＣＧ１４としている）の位置を処理開始位置「１」に設定し(ステップＳ２)、この状態で撮像装置１１によりスクリーンＳＣＲ上の調整用画像ＣＧ１３，ＣＧ１４を撮像する（ステップＳ３）。
【０１２４】
次に、撮像によって得られた撮像画像データから評価値（画素数）を算出し（ステップＳ４）、算出された評価値をそのときの位置に対応つけて記憶する（ステップＳ５）。
【０１２５】
そして、位置をインクリメントし（ステップＳ６）、インクリメント後の位置が、最大移動位置（実施形態では「２０」）を超えたか否かを判定し（ステップＳ７）、最大移動位置を超えていなければ、ステップＳ３に戻り、ステップＳ３以降の処理を行う。一方、最大移動位置を超えた場合は、ステップＳ５において記録された記録内容から位置と評価値を取得し（ステップＳ８）、その中から最大の評価値（画素数）を有する位置を最大評価位置として最大評価位置記憶部１４２に記憶させる（ステップＳ９）。
【０１２６】
そして、制御部１４４は、その最大評価位置をプロジェクタＰＪ２の投写画像の投写位置とするように、プロジェクタＰＪ２の位置調整を行う。これによって、プロジェクタＰＪ１，ＰＪ２のそれぞれの投写画像は水平方向において最適な位置関係となる。
【０１２７】
なお、以上説明した投写画像の位置調整方法では、調整用画像ＣＧ１３，ＣＧ１４のうち、調整用画像ＣＧ１３を固定し調整用画像ＣＧ１４を移動させることによって、調整用画像ＣＧ１４の位置を決めるようにしたが、逆に、調整用画像ＣＧ１４を固定し調整用画像ＣＧ１３を移動させるようにしてもよいことは勿論である。
【０１２８】
また、これまでの説明は、マルチプロジェクションディスプレイが有する複数のプロジェクタのうちの水平方向に並べられた２台のプロジェクタＰＪ１，ＰＪ２からの投写画像の水平方向の位置調整操作であったが、「第１の投写画像位置調整」の説明で用いた調整用画像ＣＧ１，ＣＧ２に対応する調整用画像ＣＧ１１，ＣＧ１２を生成することで、水平方向に並べられた２台のプロジェクタＰＪ１，ＰＪ２からの投写画像の垂直方向の位置調整操作も可能となる。
【０１２９】
図２１は「第２の投写画像位置調整」における垂直方向の位置調整において用いられる調整用画像ＣＧ１１，ＣＧ１２を模式的に示す図である。このような調整用画像ＣＧ１１，ＣＧ１２を用いて「第１の投写画像位置調整」における垂直方向の位置調整（図３，図４，図５参照）と同様の位置調整操作を行うことにより、水平方向に並べられたプロジェクタＰＪ１，ＰＪ２からの投写画像の垂直方向の位置調整を高速かつ高精度に行うことができる。しかも、調整用画像ＣＧ１１，ＣＧ１２は、調整用画像ＣＧ１３，ＣＧ１４と同様、それぞれのパターンにおいてＢａｙｅｒ配列を考慮した色配列としているので、極暗所においても高精度な位置調整が可能となる。
【０１３０】
以上は、「第２の投写画像位置調整」において、水平方向に並べられたプロジェクタＰＪ１，ＰＪ２からの投写画像の水平方向及び垂直方向の位置調整を行う例について説明したが、図２１に示した調整用画像ＣＧ１１，ＣＧ１２及び図１３に示した調整用画像ＣＧ１３，ＣＧ１４を用いることで、垂直方向に並べられた２台のプロジェクタＰＪ１，ＰＪ２からの投写画像の垂直方向及び水平方向の位置調整も同様にして行うことができる。
【０１３１】
なお、この場合、プロジェクタＰＪ１はスクリーンＳＣＲにおける垂直方向の上側の投写画像を投写し、プロジェクタＰＪ２はスクリーンＳＣＲにおける垂直方向の下側の投写画像を投写するものとする。
【０１３２】
これら調整用画像ＣＧ１１，ＣＧ１２及び調整用画像ＣＧ１３，ＣＧ１４を用いて垂直方向に並べられた２つのプロジェクタＰＪ１，ＰＪ２の投写画像の垂直方向及び水平方向の位置調整について簡単に説明する。
【０１３３】
まず、調整用画像ＣＧ１１，ＣＧ１２を用いて垂直方向に並べられた２つのプロジェクタＰＪ１，ＰＪ２の投写画像の垂直方向の位置調整を行う例について簡単に説明する。
【０１３４】
図２２は図２１に示す調整用画像ＣＧ１１，ＣＧ１２をプロジェクタＰＪ１，ＰＪ２によりそれぞれ別々にスクリーンＳＣＲに投写させた状態を模式的に示す図である。
【０１３５】
図２３は図２２に示す調整用画像ＣＧ１１，ＣＧ１２を一部に重畳領域を有してスクリーンＳＣＲ上に投写させた状態を模式的に示す図である。なお、図２３における調整用画像ＣＧ１１と調整用画像ＣＧ１２は、位置調整がなされる前の状態であるとする。この場合も、２つの調整用画像ＣＧ１１，ＣＧ１２のうち一方の調整用画像（プロジェクタＰＪ１が投写する調整用画像ＣＧ１１とする）を固定し、他方の調整用画像（プロジェクタＰＪ２が投写する調整用画像ＣＧ１２とする）をスクリーンＳＣＲで垂直方向（上下方向）に移動させる。
【０１３６】
すなわち、ユーザによって、プロジェクタＰＪ１，ＰＪ２の投写する調整用画像ＣＧ１１，ＣＧ１２を手動操作で可能な範囲で位置調整を行った状態から、プロジェクタＰＪ２の投写する調整用画像ＣＧ１２を垂直方向（上方向とする）に１０画素だけ移動させた位置を処理開始位置とし、該処理開始位置から調整用画像ＣＧ１２を下方向に１画素単位で２０画素だけ順次移動させる操作を行う。以降は、これまで説明したと同様の手順で位置調整を行うことができる。
【０１３７】
この場合、垂直方向に並べられた２つのプロジェクタＰＪ１，ＰＪ２から投写される投写画像の垂直方向の位置調整が高速かつ高精度に行うことができる。しかも、調整用画像ＣＧ１１，ＣＧ１２は、それぞれのパターンにおいてＢａｙｅｒ配列を考慮した色配列としているので、極暗所においても高精度な位置調整が可能となる。
【０１３８】
また、調整用画像ＣＧ１３，ＣＧ１４を用いることによって、垂直方向に並べられた２台のプロジェクタＰＪ１，ＰＪ２からの投写画像の水平方向の位置調整をこれまで説明した位置調整操作と同様に行うことができる。この垂直方向に並べられた２台のプロジェクタＰＪ１，ＰＪ２からの投写画像の水平方向の位置調整についてはその説明を省略する。
【０１３９】
なお、調整用画像ＣＧ１１，ＣＧ１２及び調整用画像ＣＧ１３，ＣＧ１４を用いた投写画像の位置調整操作を組み合わせることで、水平方向にｍ台、垂直方向にｎ台のｍ台×ｎ台のプロジェクタを用いたマルチプロジェクションディスプレイにおける各プロジェクタのそれぞれの投写画像の位置調整を高精度にかつ短時間で行うことができる。
【０１４０】
たとえば、図２４はｍ＝４，ｎ＝４すなわち４台×４台の合計１６台のプロジェクタＰＪ１，ＰＪ２，・・・を有したマルチプロジェクションディスプレイであり、このようなマルチプロジェクションディスプレイにおいても、それぞれ隣接する２台のプロジェクタを一組として、「第２の投写画像位置調整」で説明したような位置調整操作を行うことにより、全てのプロジェクタの投写画像の位置調整を短時間にしかも高精度に行うことができる。しかも、調整用画像ＣＧ１１，ＣＧ１２及び調整用画像ＣＧ１３，ＣＧ１４は、それぞれのパターンにおいてＢａｙｅｒ配列を考慮した色配列としているので、極暗所においても高精度な位置調整が可能となる。
【０１４１】
なお、本発明は前述の実施形態に限られるものではなく、本発明の要旨を逸脱しない範囲で種々変形実施可能となるものである。たとえば、前述の実施形態では、各プロジェクタＰＪ１，ＰＪ２からの投写画像をスクリーンＳＣＲでタイリング投写する場合について説明したが、タイリング投写だけでなく、各プロジェクタＰＪ１，ＰＪ２からの投写画像を同じ投写領域に重ね合わせる、いわゆるスタッキング投写を行う場合にも適用することができる。
【０１４２】
また、前述の実施形態では、２つの調整用画像が適切な位置関係で投写されたときに前記重畳領域において白色が出現する例について説明したが、２つの調整用画像が適切な位置関係で投写されたときに重畳領域において所定の特徴が出現すればよいので、２つの調整用画像が重畳したときに出現する色は白に限られるものではない。
【０１４３】
また、前述の実施形態において、ガンマ特性などの機器特性や照明条件による変動を考慮したマージンをとり、画素値のしきい値を「２４０，２４０，２４０」としたが、このしきい値も機器特性や照明などの環境条件に応じて最適な値を設定することができる。
【０１４４】
また、調整用画像ＣＧ１１，ＣＧ１２及び調整用画像ＣＧ１３、ＣＧ１４におけるそれぞれの線の間隔は２０画素としたが、これも２０画素に限られるものではない、ただし、１０画素以上とすることが好ましい。
【０１４５】
また、前述の実施形態では、調整用画像ＣＧ１１，ＣＧ１２及び調整用画像ＣＧ１３、ＣＧ１４として、水平方向、垂直方向の直線からなるパターンを用いたが、調整用画像ＣＧ１１，ＣＧ１２及び調整用画像ＣＧ１３、ＣＧ１４のパターンとしては、線画を有するものであれば、種々のパターンを用いることができる。
【０１４６】
また、前述の実施形態では、１つの線における第１の色Ｃｒ１及び第２の色Ｃｒ２の色周期を７２画素分の長さとしたがこれに限られるものではない。
【０１４７】
また、評価値算出部１３３は、２つの調整用画像が同じ位置関係となる状態で複数回の撮影を行って評価値を算出することが好ましい。このように、複数回の撮像により得られる撮像画像データを用いて評価値を算出することにより、撮像装置のノイズの影響を低減した高精度な評価値を得ることができる。なお、この場合、複数回の撮像により得られる撮像画像データを用いて算出された評価値の平均値を求めて、その平均値を求めるべき評価値とすることが考えられる。
【０１４８】
また、前述の実施形態では、複数のプロジェクタのうちの２台のプロジェクタについて位置調整を行うという説明であったが、これは、最低でも２台のプロジェクタを一組として位置調整を行うということであり、複数台もしくは複数組のプロジェクタからの投写画像を同時に位置調整することをも含むものである。
【０１４９】
たとえば、２台×２台の４台のプロジェクタを用いたマルチプロジェクションディスプレイであれば、上段の２台のプロジェクタを一組とし、この上段の一組のプロジェクタからの投写画像の水平方向の位置調整を行うと同時に下段の２台のプロジェクタを一組とし、この下段の一組のプロジェクタからの投写画像の水平方向の位置調整を行うことも可能である。このように、複数台もしくは複数組のプロジェクタからの投写画像を同時に位置調整することによって、マルチプロジェクションディスプレイが図２４に示すように多数のプロジェクタによって構成される場合、位置調整を効率よく行うことができ、位置調整時間を大幅に短縮することができる。
【０１５０】
また、前述の実施形態で用いたプロジェクタは、ＲＧＢ３原色の３板式のプロジェクタを想定したものとして説明したが、本発明は４原色以上の多原色タイプのプロジェクタにも適用可能となるものである。
【０１５１】
また、前述の実施形態では、複数台のプロジェクタからの投写画像を水平方向または垂直方向に配置（投写）するために、プロジェクタを物理的に水平方向または垂直方向に並べたが、プロジェクタの物理的位置を変更するのではなく、レンズシフトなどの投写位置変更機能を用いてもよいことは勿論である。
【０１５２】
また、以上説明した本発明を実現するための処理手順が記述された投写画像の位置調整プログラムを作成し、その投写画像の位置調整プログラムを各種の記録媒体に記録させておくこともできる。したがって、本発明は、その投写画像の位置調整プログラムの記録された記録媒体をも含むものである。また、ネットワークからその投写画像の位置調整プログラムを得るようにしてもよい。
【図面の簡単な説明】
【０１５３】
【図１】実施形態に係る投写画像の位置調整方法が適用されるマルチプロジェクションディスプレイの構成を示す図。
【図２】投写画像の位置調整装置１の構成を詳細に示す図。
【図３】プロジェクタＰＪ１，ＰＪ２からスクリーンＳＣＲ上にそれぞれ別々に投写された調整用画像ＣＧ１，ＣＧ２の一例を模式的に示す図。
【図４】調整用画像ＣＧ１，ＣＧ２を一部に重畳領域を有してスクリーンＳＣＲに投写させた状態を模式的に示す図。
【図５】調整用画像ＣＧ２の各位置における、撮像装置１１からの撮像画像データ中の調整用画像ＣＧ１,ＣＧ２の重畳領域を拡大表示して示す図。
【図６】処理開始位置「１」から２０画素分移動した位置「２０」までの各位置において白と判定された画素数を示す図。
【図７】水平方向の位置調整を行うための調整用画像ＣＧ３，ＣＧ４をプロジェクタＰＪ１，ＰＪ２によりそれぞれ別々にスクリーンＳＣＲに投写させた状態を模式的に示す図。
【図８】調整用画像ＣＧ３，ＣＧ４を一部に重畳領域を有してスクリーンＳＣＲ上に投写させた状態を模式的に示す図。
【図９】処理開始位置「１」から２０画素分移動した位置「２０」までの各位置において白と判定された画素数を示す図。
【図１０】極暗所において処理開始位置「１」から２０画素分移動した位置「２０」までの各位置において白と判定された画素数を示す図。
【図１１】極暗所において１画素ずれた状態を最適投写位置と判定される原因を説明するための図。
【図１２】Ｂａｙｅｒ配列の色配列構造を有するカラーフィルタを模式的に示す図。
【図１３】「第２の投写画像位置調整」において用いる調整用画像ＣＧ１３，ＣＧ１４を模式的に示す図。
【図１４】プロジェクタＰＪ１，ＰＪ２からスクリーンＳＣＲ上にそれぞれ別々に投写された調整用画像ＣＧ１３，ＣＧ１４の一例を示す図。
【図１５】図１４に示す調整用画像ＣＧ１３，ＣＧ１４を一部に重畳領域を有してスクリーンＳＣＲに投写させた状態を示す図。
【図１６】図１４において示したスクリーンＳＣＲ上の投写画像である調整用画像ＣＧ１３，ＣＧ１４を模式的に示す図。
【図１７】図１５において示したスクリーンＳＣＲ上の投写画像である調整用画像ＣＧ１３，ＣＧ１４を模式的に示す図。
【図１８】調整用画像ＣＧ１４の各位置における、撮像装置１１からの撮像画像データ中の調整用画像ＣＧ１３,ＣＧ１４の重畳領域を拡大表示して示す図。
【図１９】極暗所において処理開始位置「１」から２０画素分移動した位置「２０」までの各位置において白と判定された画素数を示す図。
【図２０】「第２の投写画像位置調整」の位置調整手順を概略的に示すフローチャート。
【図２１】「第２の投写画像位置調整」における垂直方向の位置調整において用いられる調整用画像ＣＧ１１，ＣＧ１２を模式的に示す図。
【図２２】調整用画像ＣＧ１１，ＣＧ１２をスクリーンＳＣＲ上にそれぞれ別々に投写させた状態を模式的に示す図。
【図２３】調整用画像ＣＧ１１，ＣＧ１２を一部に重畳領域を有してスクリーンＳＣＲ上に投写させた状態を模式的に示す図。
【図２４】４台×４台の合計１６台のプロジェクタを有したマルチプロジェクションディスプレイを示す図。
【符号の説明】
【０１５４】
１・・・投写画像の位置調整装置、１１・・・撮像装置、１２・・・調整用画像データ出力装置、１３・・・評価値算出装置、１４・・・位置調整制御装置、ＣＧ１１，ＣＧ１２，ＣＧ１３，ＣＧ１４・・・調整用画像、ＰＪ１，ＰＪ２・・・プロジェクタ、ＳＣＲ・・・スクリーン、Ｃｒ１・・・第１の色、Ｃｒ２・・・第２の色
【図１】
2007043275.tif 000003
【図２】
2007043275.tif 000004
【図３】
2007043275.tif 000005
【図４】
2007043275.tif 000006
【図５】
2007043275.tif 000007
【図６】
2007043275.tif 000008
【図７】
2007043275.tif 000009
【図８】
2007043275.tif 000010
【図９】
2007043275.tif 000011
【図１０】
2007043275.tif 000012
【図１１】
2007043275.tif 000013
【図１２】
2007043275.tif 000014
【図１３】
2007043275.tif 000015
【図１４】
2007043275.tif 000016
【図１５】
2007043275.tif 000017
【図１６】
2007043275.tif 000018
【図１７】
2007043275.tif 000019
【図１８】
2007043275.tif 000020
【図１９】
2007043275.tif 000021
【図２０】
2007043275.tif 000022
【図２１】
2007043275.tif 000023
【図２２】
2007043275.tif 000024
【図２３】
2007043275.tif 000025
【図２４】
2007043275.tif 000026